(57)【要約】【課題】分草具の先端に分草前の作物茎稈を切断処理する回転刈刃を設けることによって分草性能を高め、作業の能率化を図る。【解決手段】左右一対の分草具（３Ｌ，３Ｒ）と、該左右の分草具（３Ｌ，３Ｒ）の間の導入経路内に導入された茎稈を後方に掻き込む掻込リール（５）と、掻き込み後の茎稈を株元から刈り取るバリカン式の刈取装置（６）と、刈取後の茎稈を後方に掻き込んで横送りする掻込オーガ（８）を有する刈取前処理部（９）を備えた汎用コンバインにおいて、左右の分草具（３Ｌ，３Ｒ）のうちの未刈側に位置する分草具（３Ｌ）の先端部に、分草前の茎稈を切断する回転刈刃（１２）を設ける。【選択図】      図１
2012050337.tif 000002
【特許請求の範囲】
【請求項１】
左右一対の分草具（３Ｌ，３Ｒ）と、該左右の分草具（３Ｌ，３Ｒ）の間の導入経路内に導入された茎稈を後方に掻き込む掻込リール（５）と、掻き込み後の茎稈を株元から刈り取るバリカン式の刈取装置（６）と、刈取後の茎稈を後方に掻き込んで横送りする掻込オーガ（８）を有する刈取前処理部（９）を備えた汎用コンバインにおいて、前記左右の分草具（３Ｌ，３Ｒ）のうちの未刈側に位置する分草具（３Ｌ）の先端部に、分草前の茎稈を切断する回転刈刃（１２）を設けたことを特徴とする汎用コンバイン。
【請求項２】
前記回転刈刃（１２）は、左右の分草具（３Ｌ，３Ｒ）の間における茎稈導入経路側への送り込み方向に向けて回転する構成としたことを特徴とする請求項１に記載の汎用コンバイン。
【請求項３】
前記回転刈刃（１２）の上側に、先端が尖った分草カバー（１７）を設けたことを特徴とする請求項１又は請求項２に記載の汎用コンバイン。
【請求項４】
前記回転刈刃（１２）の下側には地面に摺接する橇体（１８）を設け、該橇体（１８）を回転刈刃（１２）と一体的に上下回動可能な構成としたことを特徴とする請求項１から請求項３のいずれか１項に記載の汎用コンバイン。
【請求項５】
前記回転刈刃（１２）を、掻込リール（５）のリールタイン（４）の回転軌跡（Ｋ）よりも前方に配置したことを特徴とする請求項１から請求項４のいずれか１項に記載の汎用コンバイン。
【発明の詳細な説明】
【技術分野】
【０００１】
この発明は、汎用コンバインに関する。
【背景技術】
【０００２】
従来の汎用コンバインとして、例えば、特許文献１に開示されているように、刈取対象作物と未刈り作物とが強く絡まっているようなものでも、この絡まった作物を切断して左右に分離する切断装置を設けることで、収穫作業が能率的に行えるようにしている。
【先行技術文献】
【特許文献】
【０００３】
【特許文献１】特開２０１０−１０４３３２号公報
【発明の概要】
【発明が解決しようとする課題】
【０００４】
従来例では、分草後の絡み合った作物を切断分離するものであって、分草時は分草具による分草抵抗は依然として強く働き、特に、そばやハトムギ等散播で密集している作物にあっては、未刈側作物の分草性が悪く、作物の分草具への絡み付きによって分草抵抗を過大にし、また、引き抜きによる詰まりが多発して作業をしばしば中断しなければならず、能率低下を招くものであった。
【０００５】
本発明の課題は、分草具の先端に分草前の茎稈を切断処理する回転刈刃を設けることによって上記課題解決を図らんとするものである。
【課題を解決するための手段】
【０００６】
この発明は、上記課題を解決すべく次のような技術的手段を講じた。
すなわち、請求項１記載の発明は、左右一対の分草具（３Ｌ，３Ｒ）と、該左右の分草具（３Ｌ，３Ｒ）の間の導入経路内に導入された茎稈を後方に掻き込む掻込リール（５）と、掻き込み後の茎稈を株元から刈り取るバリカン式の刈取装置（６）と、刈取後の茎稈を後方に掻き込んで横送りする掻込オーガ（８）を有する刈取前処理部（９）を備えた汎用コンバインにおいて、前記左右の分草具（３Ｌ，３Ｒ）のうちの未刈側に位置する分草具（３Ｌ）の先端部に、分草前の茎稈を切断する回転刈刃（１２）を設けたことを特徴とする汎用コンバインとする。
【０００７】
未刈側の分草具（３Ｌ）による分草作用直前の茎稈が回転刈刃（１２）によって切断される。そのため、散播で密集している作物であっても、分草作用が良好に行われ、分草具（３Ｌ）への茎稈の絡み付きも解消され、連続作業が可能となる。
【０００８】
請求項２記載の発明は、前記回転刈刃（１２）は、左右の分草具（３Ｌ，３Ｒ）の間における茎稈導入経路側への送り込み方向に向けて回転する構成としたことを特徴とする請求項１に記載の汎用コンバインとする。
【０００９】
上記構成によると、分草具（３Ｌ）より未刈側の茎稈にあっても、回転刈刃（１２）による切断後は、速やかにその回転方向に持ち回りされて左右の分草具（３Ｌ，３Ｒ）間の茎稈導入経路側へ取り込むことができる。
【００１０】
請求項３記載の発明は、前記回転刈刃（１２）の上側に、先端が尖った分草カバー（１７）を設けたことを特徴とする請求項１又は請求項２に記載の汎用コンバインとする。
上記構成によると、回転刈刃（１２）で切断された茎稈は、分草カバー（１７）の作用を受けて確実に分離される。従って、掻込リール（５）側への取り込みが良くなり、未刈側に落下するロスも低減し、また、回転刈刃（１２）の中心軸部への巻き付きも解消される。
【００１１】
請求項４記載の発明は、前記回転刈刃（１２）の下側には地面に摺接する橇体（１８）を設け、該橇体（１８）を回転刈刃（１２）と一体的に上下回動可能な構成としたことを特徴とする請求項１から請求項３のいずれか１項に記載の汎用コンバインとする。
【００１２】
上記構成によると、回転刈刃（１２）の下側の橇体（１８）が、該回転刈刃（１２）と一体的に上下回動し、地面の凹凸に追従するので、回転刈刃（１２）の刈高さが略一定に保持される。従って、地面の凹凸に対する回転刈刃（１２）の突っ込みがなく、安心して刈取作業が行える。
【００１３】
請求項５記載の発明は、前記回転刈刃（１２）を、掻込リール（５）のリールタイン（４）の回転軌跡（Ｋ）よりも前方に配置したことを特徴とする請求項１から請求項４のいずれか１項に記載の汎用コンバインとする。
【００１４】
掻込リール（５）が掻き込む前に回転刈刃（１２）で切断するため、切断した茎稈を速やかに取り込むことができ、後方への掻き込み作用がスムーズに行える。
【発明の効果】
【００１５】
請求項１記載の発明によれば、未刈側の分草具（３Ｌ）による分草作用直前の茎稈が回転刈刃（１２）によって切断処理されるので、散播で密集している作物であっても、分草作用を無理なく良好に行うことができ、分草具への茎稈の絡み付きも解消でき、連続作業が可能となり、作業能率を高めることができる。
【００１６】
請求項２記載の発明によれば、請求項１記載の発明の効果を奏するものでありながら、分草具（３Ｌ）の先端の回転刈刃（１２）が刈取対象作物の導入経路側に向けて回転するので、未刈側の作物にあっても切断後は茎稈導入経路側へ容易に取り込むことができる。
【００１７】
請求項３記載の発明によれば、請求項１又は請求項２記載の発明の効果を奏するものでありながら、回転刈刃（１２）上に分草カバー（１７）を設けることで、切断された茎稈の分離が良くなり、未刈側に落下するロスも少なく、また、回転刈刃（１２）の中心軸部への巻き付きも解消することができる。
【００１８】
請求項４記載の発明によれば、請求項１から請求項３のいずれか１項に記載の発明の効果に加えて、回転刈刃（１２）と橇体（１８）が一体的に上下動し、地面の凹凸に追従するので、回転刈刃（１２）の対地高さを略一定に維持することができ、地面の凹凸に対する回転刈刃（１２）の突っ込みがなく、安心して刈取作業を行うことができる。
【００１９】
請求項５記載の発明によれば、請求項１から請求項４のいずれか１項に記載の発明の効果はもとより、茎稈を、掻込リール（５）で掻込む前に回転刈刃（１２）で切断するので、切断した茎稈を速やかに取り込むことができ、後方への掻き込み作用が良好、円滑に行える。
【図面の簡単な説明】
【００２０】
【図１】汎用コンバインの要部の側断面図
【図２】同上要部の平面図
【図３】別実施例の汎用コンバイン要部の側断面図
【図４】同上別実施例要部の側断面図
【図５】図４のＳ−Ｓ線断面図
【図６】別実施例の汎用コンバイン要部の側断面図
【図７】同上要部の平面図
【図８】別実施例の汎用コンバイン要部の側断面図
【図９】ガイドカバーの斜視図
【図１０】別実施例の汎用コンバイン要部の側断面図
【図１１】同上要部の平面図
【図１２】別実施例の汎用コンバイン要部の側断面図
【図１３】同上要部の平面図
【発明を実施するための形態】
【００２１】
この発明の実施例を図面に基づき説明する。
図１及び図２は、圃場に立毛する茎稈を自走しながら刈り取って収穫する汎用コンバインを示すものであり、下部に左右一対の走行クローラ２，２を備えた車体１の前側には、左側（未刈側）と右側（既刈側）とに配設された一対の分草具３Ｌ，３Ｒと、左右分草具３Ｌ，３Ｒ間の茎稈導入経路内に導入される作物を後方に掻き込むリールタイン４を備えた掻込リール５と、掻込後の茎稈を切断するバリカン式刈取装置６と、刈取後の茎稈をテーブル７上に掻き込んで横送りする掻込オーガ８等からなる刈取前処理部９を備えている。
【００２２】
刈取前処理部９の左側から後方の脱穀装置にわたっては、刈取前処理部９からの刈取作物を受け継いで後方上方に揚上搬送して脱穀装置に供給するフィーダ１０を備えている。
左右一対の分草具３Ｌ，３Ｒは、テーブル７の左右端側から前方に突設する刈取前処理フレーム１１の前部側に分草支持フレーム１６を介して装備されている。
【００２３】
未刈側の分草具３Ｌの先端部には、分草作用前の茎稈を切断処理する回転刈刃１２が装備されている。この回転刈刃１２は、矢印（イ）方向に右回転（時計回り）する構成であり、駆動モータ１４によりチエンケース１５を介して刈刃軸１３を回転駆動するように連動構成されている。
【００２４】
回転刈刃１２の上側には、先端が尖った平面視Ｖ字型で後部側ほど後方上方に傾斜する分草カバー１７が設けられている。また、回転刈刃１２の下側には、地面に接して摺接移行する橇体１８が設けられ、チエンケース１５に装着支持されている。
【００２５】
橇体１８と回転刈刃１２は、これらが一体的に横軸１９を回動支点として上下動し、地面の凹凸に追従するように構成されている。
また、前記回転刈刃１２は、掻込リール５のリールタイン４の回転軌跡ＫよりもＬの距離分前方に配置することによって切断した茎稈を速やかに取り込むことができるようにしている。
【００２６】
次に、図３に示す実施例について説明する。
回動支点Ｐ周りに上下動するリールアーム２２と下方のテーブル７との間に円盤型の回転刈刃１２が装備されている。そして、この回転刈刃１２は、刈刃軸１３が横向き（左右方向）となるよう支持ステー２３を介して前記リールアーム２２に軸架されている。また、この回転刈刃１２は、掻込リール５の回転方向と同一方向の下向き回転とし、該刈刃の外周下縁がリール５の外周下縁近くに位置するよう配置されている。
【００２７】
上記構成によると、回転刈刃が掻込リールの昇降動に関連して上下動するので、作物の丈の長さに応じて対地高さを任意に変更することができ、分草具３やテーブル側壁７ａ上面にまたがってブリッジしようとする作物を容易に切断することができる。また、回転刈刃の回転方向が下向きのため、切断物をリールタイン側へ導くようになり、掻込性能が向上する。
【００２８】
前記リールアーム２２は、先端の掻込リール５を前後方向に移動させるために、これと同方向に伸縮移動する構成になっている。このリールアーム２２の伸縮移動する側に前記回転刈刃１２を装備することによって、作物の倒れ状況に応じて前後動させる掻込リールの移動に関連して回転刈刃を移動させることができ、適切な位置での切断分離が可能となる。
【００２９】
図４に示すように、フィンガタイプの刈取装置６を有する汎用コンバインにおいて、刈取装置６の前方に先端が鋭利となったガイド部材２５を設け、このガイド部材２５は、刈取装置６前方の地面近くから後方上方に向けて延出すると共に、終端部を刈取装置６の上方位置まで延出させて、掻込リール５のタイン軌跡Ｋとの重なりを多く持たせた構成としている。この構成によると、ガイド部材終端を上方へ延出することにより、リールタインとの重なり代が増大して、リールタインへの引継ぎが向上し、ヘッドロスが減少する。
【００３０】
また、前記ガイド部材２５を支持する支持プレート２６の下方に丸棒２７を設けると共に、この丸棒の後端部を刈取装置下方の取付部近辺まで延出させて固定支持するように構成している。この構成によると、ガイド部材の剛性がアップし、変形を防止することができ、下方を通過する作物を切断することなくヘッドロスの軽減を図ることができる。
【００３１】
図６及び図７に示す実施例は、枕扱ぎの際、作物を上方からテーブル内に投入するが、この作物投入時の機外への飛散を防止する手段の一例を示すものである。
つまり、左右のリールアーム２２を連結している連結フレーム２８の外周にカーテン２９を巻き取り自在に構成し、カーテン２９の端部に係止フック３０を設けて、テーブル７の前端部に係止保持する構成としている。上方の連結フレームから下方のテーブル前方にかけてカーテンにより被覆されるため、作物を上方から投入しても掻込オーガにより前方に跳ね出されることがなくなり、確実に脱穀部へ搬送供給されることになる。また、カーテン２９により掻込リール５の後方が覆われているため、投入時安全である。
【００３２】
なお、枕扱ぎ作物の投入時以外は、前記のカーテン２９の係止フック３０をリールアーム２２の回動支点Ｐやテーブル７の上端部近傍に係止し、テーブル７の上方部及び掻込オーガ８の上方を覆うように構成しておくと、刈取作業時に上方に舞い上がる塵埃を抑制することができ、快適な作業が可能となる。
【００３３】
図８に示す実施例は、刈取装置６の後部側に設けたヒンジ３１を支点として前後に揺動開閉可能なガイドカバー３２を設けた構成としている。このガイドカバー３２は、これを前方側へ開いた時には、刈刃上にあって前方上方に向けての前上がり傾斜状態とし、後方側へ閉じた時には、テーブル７の前部側上面に沿わせる状態としている。なお、ガイドカバー３２の端部には凸面３２ａ（図９参照）が設けられている。
【００３４】
上記構成によると、ガイドカバーを開き傾斜ガイド面とすることで、投入される作物を速やかにテーブル側へ案内処理することができ、且つ、刈刃上面がガイドカバーによって覆われるため、刈刃に触れることなく安全な枕扱ぎ作業が可能となる。また、通常の作業時、テーブル上のガイドカバー上面に泥土が浸入しても、このガイドカバーを反転させるのみで、泥土の除去作業が可能となる。
【００３５】
また、図１０及び図１１に示す実施例では、フィーダ１０を内装するフィーダハウス３３の供給口３４の上方部に開閉支点軸３５を支点として前後に揺動開閉可能な開閉カバー３６を設け、この開閉カバー３６を前方に倒して閉じたときには、下方からの塵埃の浮上を抑制し、後方に倒して開いたときには、ここから作物の投入が容易にでき、枕扱ぎ作業が可能となる。また、フィーダ１０の上部に吸塵ファン３７が設けられ、前記開閉カバー３６を閉じたときには、このカバーが吸塵ファンへの案内板となり、吸塵効果を高めることができる。
【００３６】
なお、図１２及び図１３に示す実施は、上記の開閉カバー３６をリールアーム２２に設置した場合の構成例であり、前後方向の支点軸３５を支点として左右方向に揺動開閉する構成としている。かかる構成によっても図１０に示す実施例と同等の効果を期待することができ、開閉カバー３６上に茎稈を載せて枕扱作業が行える。
【符号の説明】
【００３７】
３Ｌ  分草具（未刈側の分草具）
３Ｒ  分草具
５    掻込リール
６    刈取装置
８    掻込オーガ
９    刈取前処理部
１２    回転刈刃
１３    刈刃軸
１７    分草カバー
１８    橇体
１９    横軸
【図１】
2012050337.tif 000003
【図２】
2012050337.tif 000004
【図３】
2012050337.tif 000005
【図４】
2012050337.tif 000006
【図５】
2012050337.tif 000007
【図６】
2012050337.tif 000008
【図７】
2012050337.tif 000009
【図８】
2012050337.tif 000010
【図９】
2012050337.tif 000011
【図１０】
2012050337.tif 000012
【図１１】
2012050337.tif 000013
【図１２】
2012050337.tif 000014
【図１３】
2012050337.tif 000015